(57)【要約】【課題】透光部材からなるリフレクタを備えた車両用灯具において、配光ムラの少ない横長の配光パターンを形成可能とする。【解決手段】リフレクタ１４の内側表面１４ａを、光源１２ａからの光を、上下方向に関しては光軸Ａｘと略平行な方向へ向けて反射させるとともに、水平方向に関しては光軸Ａｘへ近づく方向へ向けて反射させるように形成された曲面で構成し、これにより横長の配光パターンを形成する。一方、リフレクタ１４の外側表面１４ｂは、光軸Ａｘに関して略放射状に延びる複数の突条部２０で構成し、これらを全反射プリズムで構成する。その際、各突条部２０は、光軸Ａｘから径方向に延びる直線Ｌに対して、径方向外方へ向けて光軸Ａｘを含む水平面から離れる方向へ湾曲して延びるように形成する。これにより、外側表面１４ｂからの反射光により形成される配光パターンについても横長の配光パターンとし、これを配光ムラの少ないものとする。【選択図】図１
2008270069.tif 000002
【特許請求の範囲】
【請求項１】
灯具前後方向に延びる光軸上に配置された光源と、この光源からの光を灯具前方へ向けて反射させる透光部材からなるリフレクタと、を備えてなる車両用灯具において、
上記リフレクタの内側表面が、上記光源からの光を、上下方向に関しては上記光軸と略平行な方向へ向けて反射させるとともに、水平方向に関しては上記光軸へ近づく方向へ向けて反射させるように形成された曲面で構成されており、
上記リフレクタの外側表面が、上記光軸に関して略放射状に延びる複数の突条部で構成されており、
これら各突条部が、上記光軸と直交する平面に沿った断面形状が略Ｖ字形状に設定された全反射プリズムで構成されており、かつ、これら各突条部が、灯具正面視において、上記光軸から径方向に延びる直線に対して、径方向外方へ向けて上記光軸を含む水平面から離れる方向へ湾曲して延びるように形成されている、ことを特徴とする車両用灯具。
【請求項２】
灯具前後方向に延びる光軸上に配置された光源と、この光源からの光を灯具前方へ向けて反射させる透光部材からなるリフレクタと、を備えてなる車両用灯具において、
上記リフレクタの内側表面が、上記光源からの光を、上下方向に関しては上記光軸と略平行な方向へ向けて反射させるとともに、水平方向に関しては上記光軸から離れる方向へ向けて反射させるように形成された曲面で構成されており、
上記リフレクタの外側表面が、上記光軸に関して略放射状に延びる複数の突条部で構成されており、
これら各突条部が、上記光軸と直交する平面に沿った断面形状が略Ｖ字形状に設定された全反射プリズムで構成されており、かつ、これら各突条部が、灯具正面視において、上記光軸から径方向に延びる直線に対して、径方向外方へ向けて上記光軸を含む鉛直面から離れる方向へ湾曲して延びるように形成されている、ことを特徴とする車両用灯具。
【請求項３】
上記各突条部の湾曲度合が、上記リフレクタの内側表面における各点で反射した上記光源からの光と、これら各点に入射して上記リフレクタの外側表面で反射した上記光源からの光とを、灯具前方へ向けて略同一の方向へ出射させるような値に設定されている、ことを特徴とする請求項１または２記載の車両用灯具。
【発明の詳細な説明】
【技術分野】
【０００１】
本願発明は、透光部材からなるリフレクタを備えた車両用灯具に関するものである。
【背景技術】
【０００２】
多くの車両用灯具は、灯具前後方向に延びる光軸上に配置された光源からの光を、リフレクタにより灯具前方へ向けて反射させるように構成されている。その際、例えば「特許文献１」に記載された車両用灯具のように、リフレクタが透光部材で構成されたものも知られている。
【０００３】
この「特許文献１」に記載された車両用灯具は、透光部材からなるリフレクタの外側表面が、光軸に関して放射状に延びる複数の突条部で構成されており、これら各突条部は、その光軸と直交する平面に沿った断面形状が略Ｖ字形状に設定された全反射プリズムで構成されている。そして、この車両用灯具は、その各突条部を構成する全反射プリズムにおける全反射を利用することにより、光源からの光を、リフレクタの内側表面だけでなく外側表面においても灯具前方へ向けて反射させるようになっている。
【０００４】
また「特許文献２」には、このような車両用灯具において、そのリフレクタを、所定本数の突条部毎に複数の扇形反射領域に区分けするとともに、その各突条部の構成を、扇形反射領域の位置によって異なったものとすることが記載されている。
【０００５】
【特許文献１】特開２００５−２２８６４６号公報
【特許文献２】特開２００６−３３８９８５号公報
【発明の開示】
【発明が解決しようとする課題】
【０００６】
上記「特許文献１」および「特許文献２」に記載されているように、リフレクタを透光部材で構成するとともに、その外側表面を複数の全反射プリズムで構成すれば、リフレクタに鏡面処理を施す必要をなくすことができ、これにより灯具製造コスト低減を図ることができる。
【０００７】
その際、「特許文献２」に記載されているのようなリフレクタを採用すれば、その各扇形反射領域毎に、光軸に関して径方向の偏向拡散制御を行うことができるので、スポット状の配光パターンだけでなく、多くの車両用灯具において形成することが望まれる横長の配光パターンを形成することも容易に可能となる。
【０００８】
しかしながら、この「特許文献２」に記載されたリフレクタは、その各扇形反射領域に対して、光源からの光を光軸に関して径方向に偏向拡散させる制御しか行うことができないので、配光ムラの少ない横長の配光パターンを形成することは容易でない、という問題がある。
【０００９】
本願発明は、このような事情に鑑みてなされたものであって、透光部材からなるリフレクタを備えた車両用灯具において、配光ムラの少ない横長の配光パターンを形成することができる車両用灯具を提供することを目的とするものである。
【課題を解決するための手段】
【００１０】
本願発明は、透光部材からなるリフレクタの内側表面の形状に工夫を施すとともに、その外側表面を光軸に関して略放射状に延びる複数の突条部で構成した上で、これら各突条部の構成に工夫を施すことにより、上記目的達成を図るようにしたものである。
【００１１】
すなわち、本願第１の発明に係る車両用灯具は、
灯具前後方向に延びる光軸上に配置された光源と、この光源からの光を灯具前方へ向けて反射させる透光部材からなるリフレクタと、を備えてなる車両用灯具において、
上記リフレクタの内側表面が、上記光源からの光を、上下方向に関しては上記光軸と略平行な方向へ向けて反射させるとともに、水平方向に関しては上記光軸へ近づく方向へ向けて反射させるように形成された曲面で構成されており、
上記リフレクタの外側表面が、上記光軸に関して略放射状に延びる複数の突条部で構成されており、
これら各突条部が、上記光軸と直交する平面に沿った断面形状が略Ｖ字形状に設定された全反射プリズムで構成されており、かつ、これら各突条部が、灯具正面視において、上記光軸から径方向に延びる直線に対して、径方向外方へ向けて上記光軸を含む水平面から離れる方向へ湾曲して延びるように形成されている、ことを特徴とするものであり、
また、本願第２の発明に係る車両用灯具は、
灯具前後方向に延びる光軸上に配置された光源と、この光源からの光を灯具前方へ向けて反射させる透光部材からなるリフレクタと、を備えてなる車両用灯具において、
上記リフレクタの内側表面が、上記光源からの光を、上下方向に関しては上記光軸と略平行な方向へ向けて反射させるとともに、水平方向に関しては上記光軸から離れる方向へ向けて反射させるように形成された曲面で構成されており、
上記リフレクタの外側表面が、上記光軸に関して略放射状に延びる複数の突条部で構成されており、
これら各突条部が、上記光軸と直交する平面に沿った断面形状が略Ｖ字形状に設定された全反射プリズムで構成されており、かつ、これら各突条部が、灯具正面視において、上記光軸から径方向に延びる直線に対して、径方向外方へ向けて上記光軸を含む鉛直面から離れる方向へ湾曲して延びるように形成されている、ことを特徴とするものである。
【００１２】
上記「車両用灯具」の種類は特に限定されるものではなく、例えば、ヘッドランプ、フォグランプ、コーナリングランプ、テールランプ、ストップランプ、バックアップランプ、ターンシグナルランプ、デイタイムランニングランプ等が採用可能である。
【００１３】
上記「灯具前後方向」は、車両前後方向と同じ方向であってもよいし、車両前後方向とは異なる方向であってもよい。
【００１４】
上記「光源」の種類は特に限定されるものではなく、例えば、放電バルブやハロゲンバルブの発光部あるいは発光ダイオード等の発光素子の発光チップ等が採用可能である。
【００１５】
上記「リフレクタ」は、必ずしも光軸を全周にわたって囲むように形成されていなくてもよい。また、この「リフレクタ」を構成する「透光部材」は、透光性を有する部材であれば、その材質は特に限定されるものではなく、例えば合成樹脂やガラス等が採用可能である。
【００１６】
上記「突条部」とは、線状に延びる突起部を意味するものである。
【００１７】
上記「上記光軸から径方向に延びる直線に対して、径方向外方へ向けて上記光軸を含む水平面から離れる方向へ湾曲して延びるように形成されている」とは、光軸よりも上方側に位置する突条部に関しては、径方向外方へ向けて徐々に上向き度合が増大するように形成されていることを意味し、光軸よりも下方側に位置する突条部に関しては、径方向外方へ向けて徐々に下向き度合が増大するように形成されていることを意味するものである。
【００１８】
上記「上記光軸から径方向に延びる直線に対して、径方向外方へ向けて上記光軸を含む鉛直面から離れる方向へ湾曲して延びるように形成されている」とは、径方向外方へ向けて徐々に横向き度合が増大するように形成されていることを意味するものである。
【発明の効果】
【００１９】
上記構成に示すように、本願第１発明に係る車両用灯具は、灯具前後方向に延びる光軸上に配置された光源からの光を、透光部材からなるリフレクタにより灯具前方へ向けて反射させるように構成されているが、そのリフレクタの内側表面は、光源からの光を、上下方向に関しては光軸と略平行な方向へ向けて反射させるとともに、水平方向に関しては光軸へ近づく方向へ向けて反射させるように形成された曲面で構成されているので、この内側表面からの反射光は、上下方向にはほとんど拡散することなく、水平方向には一旦収束した後に拡散することとなり、これにより横長の配光パターンを形成することができる。
【００２０】
また、このリフレクタの外側表面は、光軸に関して略放射状に延びる複数の突条部で構成されており、これら各突条部は、その光軸と直交する平面に沿った断面形状が、略Ｖ字形状に設定された全反射プリズムで構成されているので、リフレクタの内側表面から該リフレクタに入射した光源からの光を、各突条部において全反射させることができる。このため、リフレクタに鏡面処理を施すことを必要とせずに、光源からの光を、リフレクタの内側表面および外側表面において灯具前方へ向けて反射させることができ、これにより車両用灯具の製造コスト低減を図ることができる。
【００２１】
その際、各突条部は、灯具正面視において、光軸から径方向に延びる直線に対して、径方向外方へ向けて光軸を含む水平面から離れる方向へ湾曲して延びるように形成されているので、各突条部における径方向各部位からの反射光により、灯具前方に配置された仮想鉛直スクリーン上に形成される光源像の位置を、各突条部を湾曲させなかった場合の光源像形成位置に対して、光軸から離れた部位からの反射光により形成される光源像ほど、光軸を含む水平面寄りに大きく変位させることができる。しかも、この変位量は、各突条部の湾曲度合により適宜調整することができる。したがって、リフレクタの外側表面からの反射光により形成される配光パターンについても、その内側表面からの反射光により形成される配光パターンと同様、横長の配光パターンとすることができ、かつ、これを配光ムラの少ないものとすることができる。
【００２２】
一方、本願第２発明に係る車両用灯具は、灯具前後方向に延びる光軸上に配置された光源からの光を、透光部材からなるリフレクタにより灯具前方へ向けて反射させるように構成されているが、そのリフレクタの内側表面は、光源からの光を、上下方向に関しては光軸と略平行な方向へ向けて反射させるとともに、水平方向に関しては光軸から離れる方向へ向けて反射させるように形成された曲面で構成されているので、この内側表面からの反射光は、上下方向にはほとんど拡散することなく、水平方向には拡散することとなり、これにより横長の配光パターンを形成することができる。
【００２３】
また、このリフレクタの外側表面は、光軸に関して略放射状に延びる複数の突条部で構成されており、これら各突条部は、その光軸と直交する平面に沿った断面形状が、略Ｖ字形状に設定された全反射プリズムで構成されているので、リフレクタの内側表面から該リフレクタに入射した光源からの光を、各突条部において全反射させることができる。このため、リフレクタに鏡面処理を施すことを必要とせずに、光源からの光を、リフレクタの内側表面および外側表面において灯具前方へ向けて反射させることができ、これにより車両用灯具の製造コスト低減を図ることができる。
【００２４】
その際、各突条部は、灯具正面視において、光軸から径方向に延びる直線に対して、径方向外方へ向けて光軸を含む鉛直面から離れる方向へ湾曲して延びるように形成されているので、各突条部における径方向各部位からの反射光により、灯具前方に配置された仮想鉛直スクリーン上に形成される光源像の位置を、各突条部を湾曲させなかった場合の光源像形成位置に対して、光軸から離れた部位からの反射光により形成される光源像ほど、光軸を含む水平面寄りに大きく変位させることができる。しかも、この変位量は、各突条部の湾曲度合により適宜調整することができる。したがって、リフレクタの外側表面からの反射光により形成される配光パターンについても、その内側表面からの反射光により形成される配光パターンと同様、横長の配光パターンとすることができ、かつ、これを配光ムラの少ないものとすることができる。
【００２５】
このように本願発明によれば、透光部材からなるリフレクタを備えた車両用灯具において、配光ムラの少ない横長の配光パターンを形成することができる。
【００２６】
上記構成において、各突条部の湾曲度合を、リフレクタの内側表面における各点で反射した光源からの光と、これら各点に入射してリフレクタの外側表面で反射した光源からの光とが、灯具前方へ向けて略同一の方向へ出射するような値に設定しておけば、リフレクタの外側表面からの反射光により形成される配光パターンを、その内側表面からの反射光により形成される配光パターンと略同一の形状とすることができ、これにより狙いとする横長の配光パターンを効率良く形成することができる。
【発明を実施するための最良の形態】
【００２７】
以下、図面を用いて、本願発明の実施の形態について説明する。
【００２８】
まず、本願発明の第１実施形態について説明する。
【００２９】
図１は、本実施形態に係る車両用灯具を示す正面図である。また、図２は、図１のII-II 線断面図であり、図３は、図１のIII-III 線断面図である。
【００３０】
これらの図に示すように、本実施形態に係る車両用灯具１０は、ハイビーム用配光パターンを形成するための光照射を行うヘッドランプユニットとして構成されており、図示しないランプボディ等に組み込まれた状態で用いられるようになっている。
【００３１】
この車両用灯具１０は、灯具前後方向に延びる光軸Ａｘ上に配置された光源バルブ１２と、この光源バルブ１２からの光を灯具前方へ向けて反射させるリフレクタ１４とを備えてなり、その光軸Ａｘが車両前後方向に延びるように配置された状態で用いられるようになっている。
【００３２】
光源バルブ１２は、フィラメントを光源１２ａとするハロゲンバルブであって、その光源１２ａはバルブ中心軸に沿って延びる線分光源として構成されている。そして、この光源バルブ１２は、リフレクタ１４の後頂開口部１４ｃに挿着されることにより、その光源１２ａが光軸Ａｘに沿って配置されるようになっている。
【００３３】
リフレクタ１４は、透明樹脂製の透光部材で構成されており、灯具正面視において略縦長楕円形の外形形状を有している。その際、この透光部材を構成する透明樹脂としては、例えば無色透明のアクリル樹脂やポリカーボネート樹脂等が採用可能である。
【００３４】
このリフレクタ１４は、光源１２ａからの光を、その内側表面１４ａおよび外側表面１４ｂの双方で反射させるように構成されている。その際、このリフレクタ１４の内側表面１４ａは、単一曲面で構成されているが、その外側表面１４ｂは、光軸Ａｘに関して略放射状に延びる複数の突条部２０（具体的には４０本の突条部２０）で構成されている。
【００３５】
リフレクタ１４の内側表面１４ａは、光源１２ａからの光を、上下方向に関しては光軸Ａｘと略平行な方向へ向けて反射させるとともに、水平方向に関しては光軸Ａｘへ近づく方向へ向けて反射させるように形成された曲面で構成されている。
【００３６】
具体的には、この内側表面１４ａは、その鉛直断面形状が、光軸Ａｘを軸とし光源１２ａの中心位置を焦点とする放物線形状に設定されるとともに、その水平断面形状が、光軸Ａｘを長軸とし光源１２ａの中心位置を第１焦点とする楕円形状に設定された楕円放物面を、僅かに変形させた表面形状を有している。
【００３７】
すなわち、図３に示すように、この内側表面１４ａは、その左半部および右半部が光軸Ａｘに関して左右対称に形成されており、これにより、光源１２ａからの光を、光軸Ａｘへ近づく方向へ向けて左右対称に反射させるようになっている。
【００３８】
一方、図２に示すように、この内側表面１４ａの上半部（すなわち光軸Ａｘよりも上方側に位置する部分）は、その上端縁寄りの領域において、光源１２ａからの光を、光軸Ａｘと平行な方向へ向けて反射させる一方、光軸Ａｘ寄りの領域において、光源１２ａからの光を、光軸Ａｘと平行な方向に対して僅かに上向きに反射させるようになっている。また、この内側表面１４ａの下半部（すなわち光軸Ａｘよりも下方側に位置する部分）は、その下端縁寄りの領域において、光源１２ａからの光を、光軸Ａｘと平行な方向へ向けて反射させる一方、光軸Ａｘ寄りの領域において、光源１２ａからの光を、光軸Ａｘと平行な方向に対して僅かに上向きに反射させるようになっている。
【００３９】
リフレクタ１４の外側表面１４ｂを構成する各突条部２０は、光軸Ａｘと直交する平面に沿った断面形状（以下、単に「光軸直交断面形状」ともいう）が略Ｖ字形状に設定された全反射プリズムで構成されている。
【００４０】
その際、これら各突条部２０は、その内周端縁において、光軸Ａｘに関して周方向に等間隔となるように配置されている。そして、これら各突条部２０は、灯具正面視において、光軸Ａｘから径方向に延びる直線Ｌに対して、径方向外方へ向けて光軸Ａｘを含む水平面から離れる方向へ湾曲して延びるように形成されている。なお、このように、各突条部２０が湾曲して延びるように形成されている点については、後に詳述する。
【００４１】
図４は、図２のIV-IV 線断面詳細図である。また、図５は、光軸Ａｘの略真上に位置する突条部２０の一部を取り出して、光源１２ａと共に示す斜視図である。
【００４２】
これらの図にも示すように、リフレクタ１４の外側表面１４ｂを構成する各突条部２０は、その１対の斜面がいずれも凸曲面で構成されている。その際、これら各突条部２０を構成する１対の斜面の光軸直交断面形状は、略円弧状の凸曲線形状に設定されており、そのプリズム頂角は、内側表面１４ａに対して面直な断面内において約９０°に設定されている。そしてこれにより、光源１２ａからリフレクタ１４の内側表面１４ａに到達してその内部に進入した光を、各突条部２０で全反射させて、これを、灯具正面視において、光源１２ａから内側表面１４ａへの光入射方向と同じ方向へ出射させるようになっている。
【００４３】
この各突条部２０における全反射の作用について詳述すると、以下のとおりである。
【００４４】
すなわち、上述したように、リフレクタ１４の内側表面１４ａは、楕円放物面を僅かに変形させた表面形状を有しているが、この内側表面１４ａは、光軸Ａｘの略真上の位置においては、図４に示すように、その光軸直交断面形状が、光軸Ａｘを中心とする略円弧形状になっている。したがって、光源１２ａからの光は、光軸Ａｘと直交する平面内において、内側表面１４ａに対して略直角に入射し、各突条部２０を構成する１対の斜面で２回全反射した後、内側表面１４ａから出射することとなる。
【００４５】
その際、同図において２点鎖線で示すように、仮に、各突条部２０が直角プリズムで構成されているとした場合には、光源１２ａからリフレクタ１４に入射した光は、各突条部２０を構成する１対の斜面で２回全反射した後、反射前と同じ方向へ戻る光となる。この光は、内側表面１４ａに到達したとき、その到達位置が入射位置から離れているため、内側表面１４ａに対して直角にはならず、この内側表面１４ａから出射する際に屈折する。したがって、リフレクタ１４からの出射光の方向は、リフレクタ１４への光入射方向とは異なる方向になってしまう。
【００４６】
これに対し、本実施形態においては、各突条部２０を構成する１対の斜面の光軸直交断面形状が凸曲面形状に設定されているので、光源１２ａからリフレクタ１４に入射した光は、各突条部２０を構成する１対の斜面で２回全反射した後、反射前と同じ方向ではなく、やや入射位置寄りの方向へ戻る光となる。この光も、内側表面１４ａに到達したとき、内側表面１４ａに対して直角にはならず、この内側表面１４ａから出射する際に屈折するが、この屈折により、その出射方向がリフレクタ１４への入射方向と同じ方向になるようにすることができる。
【００４７】
図２、３および５に示すように、各突条部２０は、その肉厚がリフレクタ１４の内周縁から外周縁へ向けて徐々に増大するとともに、その１対の斜面の曲率が徐々に変化するように形成されている。
【００４８】
この点について詳述すると、以下のとおりである。
【００４９】
すなわち、各突条部２０における全反射の作用について説明するため、図４においては、光軸Ａｘと直交する平面内において入射から出射までが行われるものとして説明したが、図２、３および５に示すように、実際には、光源１２ａからの光は、光軸Ａｘを含む平面内において、リフレクタ１４の各位置に対して直角に入射するわけではなく、また、リフレクタ１４への入射位置よりも光軸Ａｘから離れた位置においてリフレクタ１４から出射する。
【００５０】
そこで、各突条部２０の肉厚をリフレクタ１４の内周縁から外周縁へ向けて徐々に増大させるとともに、その１対の斜面の曲率を徐々に変化させることにより、リフレクタ１４からの出射光を、光軸Ａｘと平行な平面内において、内側表面１４ａでの反射光と同じ方向へ向かう光とするようになっている。
【００５１】
さらに、本実施形態においては、リフレクタ１４の内側表面１４ａが、光軸Ａｘを中心軸とする回転放物面ではなく、光軸Ａｘを中心軸とする楕円放物面を僅かに変形させた曲面で構成されているので、光源１２ａからの光は、光軸Ａｘと直交する平面内においても、リフレクタ１４の各位置に対して直角に入射するわけではない。
【００５２】
このため、仮に、各突条部２０を、灯具正面視において、光軸Ａｘから径方向に延びる直線Ｌに沿って形成したとすると、各突条部２０で全反射して内側表面１４ａから出射する光（（以下「全反射光」という）の出射方向は、その内側表面１４ａで直接反射する光（以下「直接反射光」という）の出射方向に対して、光軸Ａｘと直交する平面内においても、内側表面１４ａでの反射光とは異なる方向へ向かう光となってしまう。その際、リフレクタ１４の内側表面１４ａの表面形状は、その鉛直断面形状が略放物線形状で、その水平断面形状が略楕円形状に設定されているので、全反射光の出射方向は、直接反射光の出射方向に対して、リフレクタ１４の上半部においては下方側へ変位し、リフレクタ１４の下半部においては上方側へ変位することとなる。
【００５３】
そこで、本実施形態においては、各突条部２０を、灯具正面視において、光軸Ａｘから径方向に延びる直線Ｌに対して、径方向外方へ向けて光軸Ａｘを含む水平面から離れる方向へ湾曲して延びるように形成することにより、光軸Ａｘと直交する平面内においても、全反射光を直接反射光と同じ方向へ向かう光とするようになっている。
【００５４】
その際、各突条部２０は、その稜線２０ａが、該突条部２０の両側の１対の谷線の中央位置よりも、光軸Ａｘを含む水平面から離れる側へ僅かに変位するように形成されている。そしてこれにより、各突条部２０が湾曲して延びているにもかかわらず、その全反射プリズムとしての機能を維持するようになっている。
【００５５】
図６（ａ）は、本実施形態に係る車両用灯具１０から前方へ照射される光により灯具前方２５ｍの位置に配置された仮想鉛直スクリーン上に形成されるハイビーム用配光パターンを透視的に示す図である。
【００５６】
このハイビーム用配光パターンＰＨは、灯具正面方向の消点であるＨ−Ｖを中心にして左右方向に拡がる横長の配光パターンとして形成されており、その中心部に高光度領域であるホットゾーンＨＺが形成されている。
【００５７】
その際、このハイビーム用配光パターンＰＨは、遠方視認性を重視するため、その下端縁が水平に近い形状を有しており、この下端縁からホットゾーンＨＺへ向けて等光度曲線（多重の閉曲線）が密に配置されるように形成されている。
【００５８】
図６（ｂ）は、このハイビーム用配光パターンＰＨを構成する無数の光源像Ｉの一部を示す図であって、リフレクタ１４の主要点からの反射光により形成される光源像Ｉを図示したものである。
【００５９】
図７は、図６（ｂ）に示す光源像Ｉの各々と、これら各光源像Ｉを形成する光源１２ａからの光が反射するリフレクタ１４の主要点との関係を、リフレクタ１４の後方側から見て示す図である。ただし、図７においては、リフレクタ１４の右半分からの反射光により形成される光源像のみを示している。
【００６０】
図７（ａ）に示す４つの光源像Ｉａ１、Ｉａ２、Ｉａ３、Ｉａ４は、リフレクタ１４の領域Ｚａおよびその近傍に位置する４つの点Ｐ１、Ｐ２、Ｐ３、Ｐ４からの反射光により形成される光源像である。
【００６１】
その際、領域Ｚａは、光軸Ａｘの真上からやや右側へずれた位置に形成された突条部２０が位置する領域である。
【００６２】
また、点Ｐ１は、リフレクタ１４の後頂開口部１４ｃ近傍に位置する点であり、領域Ｚａから光軸Ａｘ側へ僅かに外れた位置にある。そして、点Ｐ２は、領域Ｚａにおいて内周寄りに位置する点であり、点Ｐ３は、領域Ｚａにおいて径方向略中央に位置する点であり、点Ｐ４は、領域Ｚａにおいて外周寄りに位置する点である。
【００６３】
上述したように、リフレクタ１４は、直接反射光と全反射光とを同じ方向へ出射するように構成されているので、光源像Ｉａ１は、点Ｐ１からの直接反射光により形成され、残り３つの光源像Ｉａ２、Ｉａ３、Ｉａ４は、それぞれ点Ｐ２、Ｐ３、Ｐ４からの直接反射光および全反射光により形成されることとなる。
【００６４】
光源像Ｉａ１は、比較的光軸Ａｘに近い点Ｐ１からの反射光により形成されるので、大きい像となっており、光源像Ｉａ２、Ｉａ３、Ｉａ４は、点Ｐ２、Ｐ３、Ｐ４がこの順で点Ｐ１よりも光軸Ａｘから離れるので、光源像Ｉａ２、Ｉａ３、Ｉａ４の順で徐々に小さい像になっている。
【００６５】
その際、光源像Ｉａ１は、点Ｐ１が光軸Ａｘの真上から右方向にやや変位しているので、鉛直方向に対してやや右側へ傾斜して延びる像となっている。また、光源像Ｉａ２、Ｉａ３、Ｉａ４は、領域Ｚａが上向きに湾曲して延びているので、光源像Ｉａ２、Ｉａ３、Ｉａ４の順で、光源像Ｉａ１よりも鉛直方向に近い方向へ延びる像となっている。
【００６６】
さらに、リフレクタ１４の内側表面１４ａは、その水平断面形状が楕円形状に設定されているので、光源像Ｉａ１、Ｉａ２、Ｉａ３、Ｉａ４はこの順で、Ｈ−Ｖを通る鉛直線であるＶ−Ｖ線から左方向へ徐々に変位して形成されることとなる。また、リフレクタ１４の内側表面１４ａは、その鉛直断面形状が、略放物線形状に設定されており、この内側表面１４ａの上半部は、その上端縁寄りの領域において、光源１２ａからの光を、光軸Ａｘと平行な方向へ向けて反射させる一方、光軸Ａｘ寄りの領域において、光源１２ａからの光を、光軸Ａｘと平行な方向に対して僅かに上向きに反射させるようになっているので、各光源像Ｉａ１、Ｉａ２、Ｉａ３、Ｉａ４の中心位置は、これとは逆順で徐々に上方に変位している。そしてこれにより、これら各光源像Ｉａ１、Ｉａ２、Ｉａ３、Ｉａ４は、その下端縁の位置が略揃った状態で形成されるようになっている。
【００６７】
なお、図７（ａ）において、破線で示す３つの光源像Ｉａ２´、Ｉａ３´、Ｉａ４´は、仮に、突条部２０が上向きに湾曲して延びておらず、光軸Ａｘに関して放射状に延びており、そして、３つの点Ｐ２、Ｐ３、Ｐ４が、これら各点Ｐ２、Ｐ３、Ｐ４を通るようにして放射状に延びる各突条部上にあるとした場合に、その全反射光により形成される像である。実際には、突条部２０は上向きに湾曲して延びているので、その全反射光により形成される光源像は、光源像Ｉａ２´、Ｉａ３´、Ｉａ４´の位置から、直接反射光により形成される光源像Ｉａ２、Ｉａ３、Ｉａ４の位置へ変位して形成されることとなる。
【００６８】
図７（ｂ）に示す４つの光源像Ｉｂ１、Ｉｂ２、Ｉｂ３、Ｉｂ４は、リフレクタ１４の領域Ｚｂおよびその近傍に位置する４つの点（図７（ａ）の領域Ｚａにおける４つの点Ｐ１、Ｐ２、Ｐ３、Ｐ４と同様の点）からの反射光により形成される光源像である。
【００６９】
領域Ｚｂは、図７（ａ）の領域Ｚａよりも右側の、光軸Ａｘから４５°程度斜め上方に位置している。このため、４つの光源像Ｉｂ１、Ｉｂ２、Ｉｂ３、Ｉｂ４は、図７（ａ）の光源像Ｉａ１、Ｉａ２、Ｉａ３、Ｉａ４に対して右側へ傾斜しており、かつ、Ｖ−Ｖ線から左方向への変位量が大きくなっている。また、これら４つの光源像Ｉｂ１、Ｉｂ２、Ｉｂ３、Ｉｂ４は、この順で徐々に小さい像になっており、かつ、その下端縁の位置が略揃っているが、この点については図７（ａ）の場合と同様である。
【００７０】
さらに、図７（ｂ）において、破線で示す３つの光源像Ｉｂ２´、Ｉｂ３´、Ｉｂ４´は、図７（ａ）の光源像Ｉａ２´、Ｉａ３´、Ｉａ４´に対応する像であって、領域Ｚｂを構成する突条部２０からの全反射光により形成される光源像である。この領域Ｚｂを構成する突条部２０も上向きに湾曲して延びているので、その全反射光により形成される光源像は、図７（ａ）の場合と同様、光源像Ｉｂ２´、Ｉｂ３´、Ｉｂ４´の位置から、直接反射光により形成される光源像Ｉｂ２、Ｉｂ３、Ｉｂ４の位置へ変位して形成されている。
【００７１】
図７（ｃ）に示す４つの光源像Ｉｃ１、Ｉｃ２、Ｉｃ３、Ｉｃ４は、リフレクタ１４の領域Ｚｃおよびその近傍に位置する４つの点（図７（ａ）の領域Ｚａにおける４つの点Ｐ１、Ｐ２、Ｐ３、Ｐ４と同様の点）からの反射光により形成される光源像である。
【００７２】
領域Ｚｃは、図７（ｂ）の領域Ｚｂよりもさらに右側の、光軸Ａｘを含む水平面に近い角度に位置している。このため、４つの光源像Ｉｃ１、Ｉｃ２、Ｉｃ３、Ｉｃ４は、図７（ｂ）の光源像Ｉｂ１、Ｉｂ２、Ｉｂ３、Ｉｂ４に対してさらに右側へ傾斜しており、かつ、Ｖ−Ｖ線から左方向への変位量がさらに大きくなっている。また、これら４つの光源像Ｉｂ１、Ｉｂ２、Ｉｂ３、Ｉｂ４は、この順で徐々に小さい像になっており、かつ、その下端縁の位置が略揃っているが、この点については図７（ａ）、（ｂ）の場合と同様である。
【００７３】
さらに、図７（ｃ）において、破線で示す３つの光源像Ｉｃ２´、Ｉｃ３´、Ｉｃ４´は、図７（ａ）の光源像Ｉａ２´、Ｉａ３´、Ｉａ４´に対応する像であって、領域Ｚｃを構成する突条部２０からの全反射光により形成される光源像である。この領域Ｚｃを構成する突条部２０も上向きに湾曲して延びているので、その全反射光により形成される光源像は、図７（ａ）の場合と同様、光源像Ｉｃ２´、Ｉｃ３´、Ｉｃ４´の位置から、直接反射光により形成される光源像Ｉｃ２、Ｉｃ３、Ｉｃ４の位置へ変位して形成されている。
【００７４】
図７（ｄ）に示す４つの光源像Ｉｄ１、Ｉｄ２、Ｉｄ３、Ｉｄ４は、リフレクタ１４の領域Ｚｄおよびその近傍に位置する４つの点（図７（ａ）の領域Ｚａにおける４つの点Ｐ１、Ｐ２、Ｐ３、Ｐ４と同様の点）からの反射光により形成される光源像である。
【００７５】
領域Ｚｄは、図７（ａ）の領域Ｚａを、光軸Ａｘを含む水平面に関して上下に反転させた位置にある。このため、４つの光源像Ｉｄ１、Ｉｄ２、Ｉｄ３、Ｉｄ４は、図７（ａ）の光源像Ｉａ１、Ｉａ２、Ｉａ３、Ｉａ４を上下に反転させた形状を有している。また、３つの光源像Ｉｄ２´、Ｉｄ３´、Ｉｄ４´も、図７（ａ）の光源像Ｉａ２´、Ｉａ３´、Ｉａ４´を上下に反転させた形状を有している。
【００７６】
ただし、リフレクタ１４の内側表面１４ａは、その鉛直断面形状が、略放物線形状に設定されており、この内側表面１４ａの下半部は、その下端縁寄りの領域において、光源１２ａからの光を、光軸Ａｘと平行な方向へ向けて反射させる一方、光軸Ａｘ寄りの領域において、光源１２ａからの光を、光軸Ａｘと平行な方向に対して僅かに上向きに反射させるようになっているので、各光源像Ｉｄ１、Ｉｄ２、Ｉｄ３、Ｉｄ４の中心位置は、これとは逆順で徐々に上方に変位している。そしてこれにより、これら各光源像Ｉｄ１、Ｉｄ２、Ｉｄ３、Ｉｄ４は、その下端縁の位置が略揃った状態で形成されるようになっている。
【００７７】
図７（ｅ）に示す４つの光源像Ｉｅ１、Ｉｅ２、Ｉｅ３、Ｉｅ４は、リフレクタ１４の領域Ｚｅおよびその近傍に位置する４つの点（図７（ａ）の領域Ｚａにおける４つの点Ｐ１、Ｐ２、Ｐ３、Ｐ４と同様の点）からの反射光により形成される光源像である。
【００７８】
領域Ｚｅは、図７（ｂ）の領域Ｚｂを、光軸Ａｘを含む水平面に関して上下に反転させた位置にある。このため、４つの光源像Ｉｅ１、Ｉｅ２、Ｉｅ３、Ｉｅ４は、図７（ｂ）の光源像Ｉｂ１、Ｉｂ２、Ｉｂ３、Ｉｂ４を上下に反転させた形状を有している。また、３つの光源像Ｉｅ２´、Ｉｅ３´、Ｉｅ４´も、図７（ｂ）の光源像Ｉｂ２´、Ｉｂ３´、Ｉｂ４´を上下に反転させた形状を有している。
【００７９】
ただし、これら各光源像Ｉｅ１、Ｉｅ２、Ｉｅ３、Ｉｅ４の中心位置が、これとは逆順で徐々に上方に変位しており、その下端縁の位置が略揃っている点については、図７（ｄ）の場合と同様である。
【００８０】
図７（ｆ）に示す４つの光源像Ｉｆ１、Ｉｆ２、Ｉｆ３、Ｉｆ４は、リフレクタ１４の領域Ｚｆおよびその近傍に位置する４つの点（図７（ａ）の領域Ｚａにおける４つの点Ｐ１、Ｐ２、Ｐ３、Ｐ４と同様の点）からの反射光により形成される光源像である。
【００８１】
領域Ｚｆは、図７（ｃ）の領域Ｚｃを、光軸Ａｘを含む水平面に関して上下に反転させた位置にある。このため、４つの光源像Ｉｆ１、Ｉｆ２、Ｉｆ３、Ｉｆ４は、図７（ｃ）の光源像Ｉｃ１、Ｉｃ２、Ｉｃ３、Ｉｃ４を上下に反転させた形状を有している。また、３つの光源像Ｉｆ２´、Ｉｆ３´、Ｉｆ４´も、図７（ｂ）の光源像Ｉｃ２´、Ｉｃ３´、Ｉｃ４´を上下に反転させた形状を有している。
【００８２】
ただし、これら各光源像Ｉｆ１、Ｉｆ２、Ｉｆ３、Ｉｆ４の中心位置が、これとは逆順で徐々に上方に変位しており、その下端縁の位置が略揃っている点については、図７（ｄ）、（ｅ）の場合と同様である。
【００８３】
なお、図７においては、リフレクタ１４の右半分からの反射光により形成される光源像を示しているが、リフレクタ１４は光軸Ａｘに関して左右対称形状を有しているので、その左半分からの反射光により形成される光源像は、図７に示す光源像をＶ−Ｖ線に関して左右反転させた像となる。
【００８４】
以上詳述したように、本実施形態に係る車両用灯具１０は、灯具前後方向に延びる光軸Ａｘ上に配置された光源１２ａからの光を、透光部材からなるリフレクタ１４により灯具前方へ向けて反射させるように構成されているが、そのリフレクタ１４の内側表面１４ａは、光源１２ａからの光を、上下方向に関しては光軸Ａｘと略平行な方向へ向けて反射させるとともに、水平方向に関しては光軸Ａｘへ近づく方向へ向けて反射させるように形成された曲面で構成されているので、この内側表面１４ａからの反射光は、上下方向にはほとんど拡散することなく、水平方向には一旦収束した後に拡散することとなり、これにより横長のハイビーム用配光パターンＰＨを形成することができる。
【００８５】
また、このリフレクタ１４の外側表面１４ｂは、光軸Ａｘに関して略放射状に延びる複数の突条部２０で構成されており、これら各突条部２０は、その光軸Ａｘと直交する平面に沿った断面形状が、略Ｖ字形状に設定された全反射プリズムで構成されているので、リフレクタ１４の内側表面１４ａから該リフレクタ１４に入射した光源からの光を、各突条部２０において全反射させることができる。このため、リフレクタ１４に鏡面処理を施すことを必要とせずに、光源からの光を、リフレクタ１４の内側表面１４ａおよび外側表面１４ｂにおいて灯具前方へ向けて反射させることができ、これにより車両用灯具１０の製造コスト低減を図ることができる。
【００８６】
その際、各突条部２０は、灯具正面視において、光軸Ａｘから径方向に延びる直線Ｌに対して、径方向外方へ向けて光軸Ａｘを含む水平面から離れる方向へ湾曲して延びるように形成されているので、各突条部２０における径方向各部位からの反射光により、灯具前方に配置された仮想鉛直スクリーン上に形成される光源像Ｉａ２、Ｉａ３、Ｉａ４、Ｉｂ２、Ｉｂ３、Ｉｂ４、Ｉｃ２、Ｉｃ３、Ｉｃ４、Ｉｄ２、Ｉｄ３、Ｉｄ４、Ｉｅ２、Ｉｅ３、Ｉｅ４、Ｉｆ２、Ｉｆ３、Ｉｆ４の位置を、各突条部２０を湾曲させなかった場合の光源像Ｉａ２´、Ｉａ３´、Ｉａ４´、Ｉｂ２´、Ｉｂ３´、Ｉｂ４´、Ｉｃ２´、Ｉｃ３´、Ｉｃ４´、Ｉｄ２´、Ｉｄ３´、Ｉｄ４´、Ｉｅ２´、Ｉｅ３´、Ｉｅ４´、Ｉｆ２´、Ｉｆ３´、Ｉｆ４´の形成位置に対して、光軸Ａｘから離れた部位からの反射光により形成される光源像ほど、光軸Ａｘを含む水平面寄りに大きく変位させることができる。しかも、この変位量は、各突条部２０の湾曲度合により適宜調整することができる。したがって、リフレクタ１４の外側表面１４ｂからの反射光により形成される配光パターンについても、その内側表面１４ａからの反射光により形成される配光パターンと同様、横長の配光パターンとすることができ、かつ、これを配光ムラの少ないものとすることができる。
【００８７】
このように本実施形態によれば、透光部材からなるリフレクタ１４を備えた車両用灯具１０において、配光ムラの少ない横長のハイビーム用配光パターンＰＨを形成することができる。
【００８８】
しかも本実施形態においては、各突条部２０の湾曲度合が、リフレクタ１４の内側表面１４ａにおける各点で反射した光源１２ａからの光と、これら各点に入射してリフレクタ１４の外側表面１４ｂで反射した光源１２ａからの光とが、灯具前方へ向けて略同一の方向へ出射するような値に設定されているので、リフレクタ１４の外側表面１４ｂからの反射光により形成される配光パターンを、その内側表面１４ａからの反射光により形成される配光パターンと略同一の形状とすることができ、これにより狙いとする横長のハイビーム用配光パターンＰＨを効率良く形成することができる。
【００８９】
次に、本願発明の第２実施形態について説明する。
【００９０】
図８は、本実施形態に係る車両用灯具を示す正面図である。また、図９は、図８のIX-IX 線断面図である。
【００９１】
これらの図に示すように、本実施形態に係る車両用灯具１１０は、その基本的な構成は、上記第１実施形態に係る車両用灯具１０と同様であるが、そのリフレクタ１１４の構成が上記第１実施形態の場合と異なっている。
【００９２】
すなわち、本実施形態のリフレクタ１１４は、上記第１実施形態のリフレクタ１４と同様、透明樹脂製の透光部材で構成されているが、灯具正面視において略横長楕円形の外形形状を有している。
【００９３】
このリフレクタ１１４は、上記第１実施形態のリフレクタ１４と同様、光源１２ａからの光を、その内側表面１１４ａおよび外側表面１１４ｂの双方で反射させるように構成されている。その際、このリフレクタ１１４の内側表面１１４ａは、単一曲面で構成されているが、その外側表面１１４ｂは、光軸Ａｘに関して略放射状に延びる複数の突条部１２０（具体的には４０本の突条部１２０）で構成されている。
【００９４】
リフレクタ１１４の内側表面１１４ａは、光源１２ａからの光を、上下方向に関しては光軸Ａｘと略平行な方向へ向けて反射させるとともに、水平方向に関しては光軸Ａｘから離れる方向へ向けて反射させるように形成された曲面で構成されている。
【００９５】
具体的には、この内側表面１１４ａは、その鉛直断面形状が、光軸Ａｘを軸とし光源１２ａの中心位置を焦点とする放物線形状に設定されるとともに、その水平断面形状が、光軸Ａｘを軸とし光源１２ａの中心位置を焦点とする双曲線形状に設定された曲面を、僅かに変形させた表面形状を有している。
【００９６】
すなわち、図９に示すように、この内側表面１１４ａは、その左半部および右半部が光軸Ａｘに関して左右対称に形成されており、これにより、光源１２ａからの光を、光軸Ａｘから離れる方向へ向けて左右対称に反射させるようになっている。一方、内側表面１１４ａの鉛直断面形状は、上記第１実施形態のリフレクタ１４の場合と同様である。
【００９７】
リフレクタ１１４の外側表面１１４ｂを構成する各突条部１２０は、上記第１実施形態の各突条部２０と同様の全反射プリズムで構成されている。
【００９８】
その際、これら各突条部１２０は、その内周端縁において、光軸Ａｘに関して周方向に等間隔となるように配置されている。そして、これら各突条部２０は、灯具正面視において、光軸Ａｘから径方向に延びる直線Ｌに対して、径方向外方へ向けて光軸Ａｘを含む鉛直面から離れる方向へ湾曲して延びるように形成されている。そしてこれにより、光軸Ａｘと直交する平面内においても、全反射光を直接反射光と同じ方向へ向かう光とするようになっている。
【００９９】
すなわち、本実施形態のリフレクタ１１４における内側表面１１４ａの表面形状は、その鉛直断面形状が略放物線形状で、その水平断面形状が略双曲線形状に設定されているので、仮に、各突条部１２０を、灯具正面視において、光軸Ａｘから径方向に延びる直線に沿って形成したとすると、各突条部１２０で全反射して内側表面１１４ａから出射する光（すなわち全反射光）の出射方向は、その内側表面１１４ａで直接反射する光（すなわち直接反射光）の出射方向に対して、リフレクタ１４の上半部においては上方側へ変位し、リフレクタ１１４の下半部においては下方側へ変位することとなる。しかしながら、本実施形態においては、各突条部１２０が上記のように湾曲しているので、全反射光を直接反射光と同じ方向へ向かう光とすることができる。
【０１００】
また、これら各突条部１２０は、その稜線１２０ａが、該突条部１２０の両側の１対の谷線の中央位置よりも、光軸Ａｘを含む水平面に近づく側へ僅かに変位するように形成されている。そしてこれにより、各突条部１２０が湾曲して延びているにもかかわらず、その全反射プリズムとしての機能を維持するようになっている。
【０１０１】
本実施形態に係る車両用灯具１１０から前方へ照射される光によっても、図６（ａ）に示すハイビーム用配光パターンＰＨと同様のハイビーム用配光パターンが形成されるようになっている。
【０１０２】
図１０は、このハイビーム用配光パターンを構成する光源像の各々と、これら各光源像を形成する光源１２ａからの光が反射するリフレクタ１１４の主要点との関係を、リフレクタ１１４の後方側から見て示す図である。ただし、図１０においては、リフレクタ１１４の右半分からの反射光により形成される光源像のみを示している。
【０１０３】
図１０（ｇ）に示す領域Ｚｇは、図７（ａ）に示す領域Ｚａに略対応する位置の領域であり、図１０（ｇ）に示す４つの光源像Ｉｇ１、Ｉｇ２、Ｉｇ３、Ｉｇ４は、図７（ａ）に示す４つの光源像Ｉａ１、Ｉａ２、Ｉａ３、Ｉａ４に対応する光源像である。
【０１０４】
これら各光源像Ｉｇ１、Ｉｇ２、Ｉｇ３、Ｉｇ４は、図７（ａ）に示す各光源像Ｉａ１、Ｉａ２、Ｉａ３、Ｉａ４と同様、鉛直方向に対してやや右側へ傾斜して延びる像となっており、その上下方向の形成位置は、図７（ａ）に示す各光源像Ｉａ１、Ｉａ２、Ｉａ３、Ｉａ４と略同じ位置であるが、その左右方向の形成位置は、Ｖ−Ｖ線に関して図７（ａ）に示す各光源像Ｉａ１、Ｉａ２、Ｉａ３、Ｉａ４とは反対側に形成されている。これは、本実施形態においては、リフレクタ１１４における内側表面１１４ａの水平断面形状が略双曲線形状に設定されていることによるものである。
【０１０５】
また、図１０（ｇ）において、破線で示す３つの光源像Ｉｇ２´、Ｉｇ３´、Ｉｇ４´は、図７（ａ）の光源像Ｉａ２´、Ｉａ３´、Ｉａ４´に対応する像であって、領域Ｚｇを構成する突条部１２０からの全反射光により形成される光源像である。この領域Ｚｇを構成する突条部１２０は横向きに湾曲して延びているので、その全反射光により形成される光源像は、図７（ａ）の場合と同様、光源像Ｉｇ２´、Ｉｇ３´、Ｉｇ４´の位置から、直接反射光により形成される光源像Ｉｇ２、Ｉｇ３、Ｉｇ４の位置へ変位して形成されている。ただし、その際の変位する方向は、図７（ａ）の場合と逆方向になっている。これも、本実施形態においては、リフレクタ１１４における内側表面１１４ａの水平断面形状が略双曲線形状に設定されていることによるものである。
【０１０６】
図１０（ｈ）に示す領域Ｚｈは、図７（ｂ）に示す領域Ｚｂに略対応する位置の領域であり、図１０（ｈ）に示す４つの光源像Ｉｈ１、Ｉｈ２、Ｉｈ３、Ｉｈ４は、図７（ｂ）に示す４つの光源像Ｉｂ１、Ｉｂ２、Ｉｂ３、Ｉｂ４に対応する光源像である。
【０１０７】
これら各光源像Ｉｈ１、Ｉｈ２、Ｉｈ３、Ｉｈ４と、図７（ｂ）に示す各光源像Ｉｂ１、Ｉｂ２、Ｉｂ３、Ｉｂ４との関係は、図１０（ｇ）に示す各光源像Ｉｇ１、Ｉｇ２、Ｉｇ３、Ｉｇ４と、図７（ａ）に示す各光源像Ｉａ１、Ｉａ２、Ｉａ３、Ｉａ４との関係と同様である。
【０１０８】
また、図１０（ｈ）において、破線で示す３つの光源像Ｉｈ２´、Ｉｈ３´、Ｉｈ４´は、図７（ｂ）の光源像Ｉｂ２´、Ｉｂ３´、Ｉｂ４´に対応する像であって、図１０（ｇ）の場合と同様、光源像Ｉｈ２´、Ｉｈ３´、Ｉｈ４´の位置から、直接反射光により形成される光源像Ｉｈ２、Ｉｈ３、Ｉｈ４の位置へ変位して形成されており、その変位の方向は、図７（ｂ）の場合と逆方向になっている。
【０１０９】
図１０（ｉ）に示す領域Ｚｉは、図７（ｃ）に示す領域Ｚｃに略対応する位置の領域であり、図１０（ｉ）に示す４つの光源像Ｉｉ１、Ｉｉ２、Ｉｉ３、Ｉｉ４は、図７（ｃ）に示す４つの光源像Ｉｃ１、Ｉｃ２、Ｉｃ３、Ｉｃ４に対応する光源像である。
【０１１０】
これら各光源像Ｉｉ１、Ｉｉ２、Ｉｉ３、Ｉｉ４と、図７（ｃ）に示す各光源像Ｉｃ１、Ｉｃ２、Ｉｃ３、Ｉｃ４との関係は、図１０（ｇ）に示す各光源像Ｉｇ１、Ｉｇ２、Ｉｇ３、Ｉｇ４と、図７（ａ）に示す各光源像Ｉａ１、Ｉａ２、Ｉａ３、Ｉａ４との関係と同様である。
【０１１１】
また、図１０（ｉ）において、破線で示す３つの光源像Ｉｉ２´、Ｉｉ３´、Ｉｉ４´は、図７（ｃ）の光源像Ｉｃ２´、Ｉｃ３´、Ｉｃ４´に対応する像であって、図１０（ｇ）の場合と同様、光源像Ｉｉ２´、Ｉｉ３´、Ｉｉ４´の位置から、直接反射光により形成される光源像Ｉｉ２、Ｉｉ３、Ｉｉ４の位置へ変位して形成されており、その変位の方向は、図７（ｃ）の場合と逆方向になっている。
【０１１２】
図１０（ｊ）に示す領域Ｚｊは、図７（ｄ）に示す領域Ｚｄに略対応する位置の領域であり、図１０（ｊ）に示す４つの光源像Ｉｊ１、Ｉｊ２、Ｉｊ３、Ｉｊ４は、図７（ｄ）に示す４つの光源像Ｉｄ１、Ｉｄ２、Ｉｄ３、Ｉｄ４に対応する光源像である。
【０１１３】
これら各光源像Ｉｊ１、Ｉｊ２、Ｉｊ３、Ｉｊ４と、図７（ｄ）に示す各光源像Ｉｄ１、Ｉｄ２、Ｉｄ３、Ｉｄ４との関係は、図１０（ｇ）に示す各光源像Ｉｇ１、Ｉｇ２、Ｉｇ３、Ｉｇ４と、図７（ａ）に示す各光源像Ｉａ１、Ｉａ２、Ｉａ３、Ｉａ４との関係と同様である。
【０１１４】
また、図１０（ｊ）において、破線で示す３つの光源像Ｉｊ２´、Ｉｊ３´、Ｉｊ４´は、図７（ｄ）の光源像Ｉｄ２´、Ｉｄ３´、Ｉｄ４´に対応する像であって、図１０（ｇ）の場合と同様、光源像Ｉｊ２´、Ｉｊ３´、Ｉｊ４´の位置から、直接反射光により形成される光源像Ｉｊ２、Ｉｊ３、Ｉｊ４の位置へ変位して形成されており、その変位の方向は、図７（ｄ）の場合と逆方向になっている。
【０１１５】
図１０（ｋ）に示す領域Ｚｋは、図７（ｅ）に示す領域Ｚｅに略対応する位置の領域であり、図１０（ｋ）に示す４つの光源像Ｉｋ１、Ｉｋ２、Ｉｋ３、Ｉｋ４は、図７（ｅ）に示す４つの光源像Ｉｅ１、Ｉｅ２、Ｉｅ３、Ｉｅ４に対応する光源像である。
【０１１６】
これら各光源像Ｉｋ１、Ｉｋ２、Ｉｋ３、Ｉｋ４と、図７（ｅ）に示す各光源像Ｉｅ１、Ｉｅ２、Ｉｅ３、Ｉｅ４との関係は、図１０（ｇ）に示す各光源像Ｉｇ１、Ｉｇ２、Ｉｇ３、Ｉｇ４と、図７（ａ）に示す各光源像Ｉａ１、Ｉａ２、Ｉａ３、Ｉａ４との関係と同様である。
【０１１７】
また、図１０（ｋ）において、破線で示す３つの光源像Ｉｋ２´、Ｉｋ３´、Ｉｋ４´は、図７（ｅ）の光源像Ｉｅ２´、Ｉｅ３´、Ｉｅ４´に対応する像であって、図１０（ｇ）の場合と同様、光源像Ｉｋ２´、Ｉｋ３´、Ｉｋ４´の位置から、直接反射光により形成される光源像Ｉｋ２、Ｉｋ３、Ｉｋ４の位置へ変位して形成されており、その変位の方向は、図７（ｅ）の場合と逆方向になっている。
【０１１８】
図１０（ｍ）に示す領域Ｚｍは、図７（ｆ）に示す領域Ｚｆに略対応する位置の領域であり、図１０（ｍ）に示す４つの光源像Ｉｍ１、Ｉｍ２、Ｉｍ３、Ｉｍ４は、図７（ｆ）に示す４つの光源像Ｉｆ１、Ｉｆ２、Ｉｆ３、Ｉｆ４に対応する光源像である。
【０１１９】
これら各光源像Ｉｍ１、Ｉｍ２、Ｉｍ３、Ｉｍ４と、図７（ｆ）に示す各光源像Ｉｆ１、Ｉｆ２、Ｉｆ３、Ｉｆ４との関係は、図１０（ｇ）に示す各光源像Ｉｇ１、Ｉｇ２、Ｉｇ３、Ｉｇ４と、図７（ａ）に示す各光源像Ｉａ１、Ｉａ２、Ｉａ３、Ｉａ４との関係と同様である。
【０１２０】
また、図１０（ｍ）において、破線で示す３つの光源像Ｉｍ２´、Ｉｍ３´、Ｉｍ４´は、図７（ｆ）の光源像Ｉｆ２´、Ｉｆ３´、Ｉｆ４´に対応する像であって、図１０（ｇ）の場合と同様、光源像Ｉｍ２´、Ｉｍ３´、Ｉｍ４´の位置から、直接反射光により形成される光源像Ｉｍ２、Ｉｍ３、Ｉｍ４の位置へ変位して形成されており、その変位の方向は、図７（ｆ）の場合と逆方向になっている。
【０１２１】
なお、図１０においては、リフレクタ１１４の右半分からの反射光により形成される光源像を示しているが、リフレクタ１１４は光軸Ａｘに関して左右対称形状を有しているので、その左半分からの反射光により形成される光源像は、図１０に示す光源像をＶ−Ｖ線に関して左右反転させた像となる。
【０１２２】
以上詳述したように、本実施形態に係る車両用灯具１１０においても、上記第１実施形態に係る車両用灯具１０と同様、配光ムラの少ない横長のハイビーム用配光パターンを形成することができる。
【０１２３】
ところで、上記各実施形態においては、そのリフレクタ１４、１１４の外側表面１４ｂ、１１４ｂが同一形状の４０本の突条部２０、１２０で構成されているものとして説明したが、これ以外の本数の突条部で構成することも可能であり、あるいはこれら複数の突条部を互いに異なる形状で構成することも可能である。
【０１２４】
また、上記各実施形態においては、各突条部２０、１２０が、リフレクタ１４、１１４の内側表面１４ａ、１１４ａにおける全反射光の入射位置を直接反射光の反射位置と一致させた上で、全反射光の出射方向を直接反射光の反射方向と一致させるように構成されているものとして説明したが、このようにする代わりに、リフレクタ１４、１１４の内側表面１４ａ、１１４ａにおける全反射光の出射位置を直接反射光の反射位置と一致させた上で、全反射光の出射方向を直接反射光の反射方向と一致させるように構成されたものとすることも可能である。
【０１２５】
このようにした場合においても、リフレクタ１４、１１４の外側表面１４ｂ、１１４ｂからの反射光により形成される配光パターンを、その内側表面１４ａ、１１４ａからの反射光により形成される配光パターンと略同一の形状とすることができ、これにより狙いとする横長のハイビーム用配光パターンＰＨを効率良く形成することができる。
【０１２６】
さらに、上記各実施形態に係る車両用灯具１０、１１０においては、その光照射により、下端縁が水平に近い形状を有するハイビーム用配光パターンＰＨを形成するようになっているが、リフレクタ１４、１１４の内側表面１４ａ、１１４ａの表面形状を適宜変更し、これに応じてリフレクタ１４、１１４の外側表面１４ｂ、１１４ｂを構成する各突条部２０、１２０の湾曲度合を適宜変更することにより、これ以外の形状を有する横長の配光パターンを形成することが可能である。
【０１２７】
なお、上記各実施形態において諸元として示した数値は一例にすぎず、これらを適宜異なる値に設定してもよいことはもちろんである。
【図面の簡単な説明】
【０１２８】
【図１】本願発明の第１実施形態に係る車両用灯具を示す正面図
【図２】図１のII-II 線断面図
【図３】図１のIII-III 線断面図
【図４】図２のIV-IV 線断面詳細図
【図５】上記車両用灯具において、光軸の略真上に位置する突条部の一部を取り出して、その光源と共に示す斜視図
【図６】（ａ）は、上記車両用灯具から前方へ照射される光により灯具前方２５ｍの位置に配置された仮想鉛直スクリーン上に形成されるハイビーム用配光パターンを透視的に示す図、（ｂ）は、このハイビーム用配光パターンを構成する無数の光源像の一部を示す図
【図７】図６（ｂ）に示す光源像の各々と、これら各光源像を形成する光源からの光が反射するリフレクタの主要点との関係を、リフレクタの後方側から見て示す図
【図８】本願発明の第２実施形態に係る車両用灯具を示す正面図
【図９】図８のIX-IX 線断面図
【図１０】上記第２実施形態の作用を示す、図７と同様の図
【符号の説明】
【０１２９】
１０、１１０  車両用灯具
１２  光源バルブ
１２ａ  光源
１４、１１４  リフレクタ
１４ａ、１１４ａ  内側表面
１４ｂ、１１４ｂ  外側表面
１４ｃ  後頂開口部
２０、１２０  突条部
２０ａ、１２０ａ  稜線
Ａｘ  光軸
ＨＺ  ホットゾーン
Ｌ  直線
Ｉ、Ｉａ１、Ｉａ２、Ｉａ３、Ｉａ４、Ｉｂ１、Ｉｂ２、Ｉｂ３、Ｉｂ４、Ｉｃ１、Ｉｃ２、Ｉｃ３、Ｉｃ４、Ｉｄ１、Ｉｄ２、Ｉｄ３、Ｉｄ４、Ｉｅ１、Ｉｅ２、Ｉｅ３、Ｉｅ４、Ｉｆ１、Ｉｆ２、Ｉｆ３、Ｉｆ４、Ｉｇ１、Ｉｇ２、Ｉｇ３、Ｉｇ４、Ｉｈ１、Ｉｈ２、Ｉｈ３、Ｉｈ４、Ｉｉ１、Ｉｉ２、Ｉｉ３、Ｉｉ４、Ｉｊ１、Ｉｊ２、Ｉｊ３、Ｉｊ４、Ｉｋ１、Ｉｋ２、Ｉｋ３、Ｉｋ４、Ｉｍ１、Ｉｍ２、Ｉｍ３、Ｉｍ４  光源像
Ｉａ２´、Ｉａ３´、Ｉａ４´、Ｉｂ２´、Ｉｂ３´、Ｉｂ４´、Ｉｃ２´、Ｉｃ３´、Ｉｃ４´、Ｉｄ２´、Ｉｄ３´、Ｉｄ４´、Ｉｅ２´、Ｉｅ３´、Ｉｅ４´、Ｉｆ２´、Ｉｆ３´、Ｉｆ４´、Ｉｇ２´、Ｉｇ３´、Ｉｇ４´、Ｉｈ２´、Ｉｈ３´、Ｉｈ４´、Ｉｉ２´、Ｉｉ３´、Ｉｉ４´、Ｉｊ２´、Ｉｊ３´、Ｉｊ４´、Ｉｋ２´、Ｉｋ３´、Ｉｋ４´、Ｉｍ２´、Ｉｍ３´、Ｉｍ４´  仮想の光源像
ＰＨ  ハイビーム用配光パターン
Ｐ１、Ｐ２、Ｐ３、Ｐ４  点
Ｚａ、Ｚｂ、Ｚｃ、Ｚｄ、Ｚｅ、Ｚｆ、Ｚｇ、Ｚｈ、Ｚｉ、Ｚｊ、Ｚｋ、Ｚｍ  領域
【図１】
2008270069.tif 000003
【図２】
2008270069.tif 000004
【図３】
2008270069.tif 000005
【図４】
2008270069.tif 000006
【図５】
2008270069.tif 000007
【図６】
2008270069.tif 000008
【図７】
2008270069.tif 000009
【図８】
2008270069.tif 000010
【図９】
2008270069.tif 000011
【図１０】
2008270069.tif 000012